(57)【特許請求の範囲】
【請求項１】
作業機の機体に支持される支持フレームと、前記支持フレームに上側から張設されてルーフ部を形成するとともに可撓性を有する柔軟性シートとを備え、
前記支持フレームが平面視で枠形状に形成され、
前記柔軟性シートの内面側に前記支持フレームに対する取付部が備えられ、
前記取付部は、平面視で枠形状の前記支持フレームの枠内側に位置する状態で備えられ、
前記柔軟性シートに、前記ルーフ部の天井面を形成する上面部と、前記上面部の外周部全周に切れ目なく連なる状態で下向きに垂れ下がる縦向きの側面部とが備えられ、
前記側面部は、前記支持フレームの外周側に位置して、前記支持フレームよりも下方側にまで延びており、
前記取付部が前記支持フレームの枠形状に沿って全周に亘る状態で複数備えられ、
前記取付部を備えるシート状の取付用部材が、前記上面部の内面側に片持ち状に取り付けられ、
前記取付部に挿通孔が備えられ、
前記挿通孔よりも外周側において、前記支持フレームと前記柔軟性シートとの間の隙間を通って前記挿通孔の内部と前記支持フレームの外周部とを周回する紐状部材により、前記取付用部材が外周側に向かって延びる状態で、前記支持フレームと前記挿通孔とが連結されている作業機用キャノピー。
【請求項２】
前記側面部は、前記支持フレームの高さ分に相当する上下幅よりも広い上下幅にて周方向全域にわたって連なっている請求項１に記載の作業機用キャノピー。
【請求項３】
前記取付用部材が、前記複数の取付部を備えるとともに前記支持フレームの枠形状に沿って延びる長尺状に設けられている請求項１又は２に記載の作業機用キャノピー。
【請求項４】
前記支持フレームが、
矩形の枠形状を形成する周枠形成体と、前記周枠形成体の左右両側の横側部にわたって架設される横向き連結体と、前記横向き連結体に沿わせた状態で前記横向き連結体に一体的に連結される横向き補強体と、その横向き補強体の横方向中間部と前記周枠形成体の左右両側の前記横側部とにわたって斜め方向に延設される斜め補強体とを備えている請求項１〜３のいずれか１項に記載の作業機用キャノピー。
【請求項５】
前記支持フレームが、作業機の機体に支持された支柱に対して横軸心まわりで上下揺動自在に支持され、
前記支持フレームの上下揺動位置を設定位置に位置保持可能な係合式の位置決め機構が備えられ、
前記支持フレームと前記支柱とにわたって、前記支持フレームを前記横軸心まわりで上方又は下方に移動付勢する付勢機構が備えられている請求項１〜４のいずれか１項に記載の作業機用キャノピー。
【請求項６】
請求項１〜５のいずれか１項に記載の作業機用キャノピーを備えた作業機。
【請求項７】
前記作業機用キャノピーが運転部の上方に位置する状態で設けられ、
前記運転部の下方側に原動部が備えられ、
前記原動部に、エンジンと、エンジン冷却用のラジエータと、前記ラジエータに対する冷却風を生起する冷却ファンと、前記冷却風を機体外部から吸気する防塵カバーとが備えられ、
前記防塵カバーの機体外方側端部位置と、前記作業機用キャノピーの機体外方側端部位置とが、一致又は略一致している請求項６に記載の作業機。
【請求項８】
前記作業機用キャノピーが運転部の上方に位置する状態で設けられ、
前記運転部に、運転座席と、前記運転座席の機体内方側に位置するサイドパネルとが備えられ、
前記サイドパネルの機体内方側端部位置と、前記作業機用キャノピーの機体内方側端部位置とが、一致又は略一致している請求項６又は７に記載の作業機。
【発明の詳細な説明】
【技術分野】
【０００１】
本発明は、作業機における運転部の上方を覆う作業機用キャノピー及びそれを備えた作業機に関する。
【背景技術】
【０００２】
従来の作業機用キャノピーは、作業機の機体に支持される支柱の上部に、硬質の合成樹脂材にて一体的に形成されるルーフ部を備えて構成されていた（例えば、特許文献１参照）。
【先行技術文献】
【特許文献】
【０００３】
【特許文献１】特開２０１１−１２０５１２号公報
【発明の概要】
【発明が解決しようとする課題】
【０００４】
上記従来構成では、キャノピーのルーフ部が、硬質の合成樹脂材にて一体的に形成されるものであるから、例えば、他物との接触等によりキャノピーのルーフ部が損傷したような場合、ルーフ部が割れて複数の断片に分割されてしまい、ルーフ部を修復することが難しいものになる場合があった。その結果、ルーフ部全体を新たなものに取り換える必要がある等、コスト面で不利になるとともに、修理交換等のための取り換え作業が行い難いものになっていた。
【０００５】
本発明の目的は、コスト面で有利になるとともに、取り換え作業を容易に行える作業機用キャノピー及びそれを備えた作業機を提供する点にある。
【課題を解決するための手段】
【０００６】
本発明に係る作業機用キャノピーの特徴構成は、
作業機の機体に支持される支持フレームと、前記支持フレームに上側から張設されてルーフ部を形成するとともに可撓性を有する柔軟性シートとを備え、
前記支持フレームが平面視で枠形状に形成され、
前記柔軟性シートの内面側に前記支持フレームに対する取付部が備えられ、
前記取付部は、平面視で枠形状の前記支持フレームの枠内側に位置する状態で備えられ、
前記柔軟性シートに、前記ルーフ部の天井面を形成する上面部と、前記上面部の外周部全周に切れ目なく連なる状態で下向きに垂れ下がる縦向きの側面部とが備えられ、
前記側面部は、前記支持フレームの外周側に位置して、前記支持フレームよりも下方側にまで延びており、
前記取付部が前記支持フレームの枠形状に沿って全周に亘る状態で複数備えられ、
前記取付部を備えるシート状の取付用部材が、前記上面部の内面側に片持ち状に取り付けられ、
前記取付部に挿通孔が備えられ、
前記挿通孔よりも外周側において、前記支持フレームと前記柔軟性シートとの間の隙間を通って前記挿通孔の内部と前記支持フレームの外周部とを周回する紐状部材により、前記取付用部材が外周側に向かって延びる状態で、前記支持フレームと前記挿通孔とが連結されている点にある。
【０００７】
本構成によれば、ルーフ部が支持フレームに張設された可撓性を有する柔軟性シートにて構成されるから、例えば、他物との接触等によりルーフ部が損傷したような場合、ルーフ部が割れて複数の断片に分割されるおそれはなく、一部分だけが破れて裂け目が形成される等の損傷を受けるだけである。そこで、その破損した箇所を、張り合わせたり、あるいは、縫い合わせる等の修復処理を施すことにより、そのまま使い続けることが可能である。その結果、ルーフ部が損傷した場合であっても、ルーフ部全体を新たなものに取り換える必要がなく、コスト面で有利なものとなる。
【０００８】
柔軟性シートは、支持フレームの枠内側に位置する取付部により支持フレームに取り付ける構成であるから、例えば、修復時等における取り換え作業を行う場合等において、柔軟性シートを支持フレームの上方に乗せた状態で容易に取り付け作業を行うことができる。そして、柔軟性シートを支持フレームに張設したのちは、取付部に相当する位置が支持フレーム側すなわち、枠外側に向けて引っ張られるので、柔軟性シートを弛みの少ない状態で張設することができる。
また、本構成によれば、柔軟性シートが、支持フレームの枠形状に沿って並ぶ状態で複数備えられた取付部により支持フレームに取り付けられるので、柔軟性シートを枠形状の全体にわたって弛みの少ない状態で張設することができる。
さらに、本構成によれば、柔軟性シートの内面側にシート状の取付用部材が取り付けられ、その取付用部材に取付部が備えられる。その結果、柔軟性シートは、例えば、取り付け用の挿通孔等の取付部を形成する等の特別な加工が不要であり、雨水の侵入等を防止し易いものにできる。
【０００９】
従って、本発明に係る作業機用キャノピーは、コスト面で有利になるとともに、取り換え作業を容易に行えるものとなった。
本発明においては、前記側面部は、前記支持フレームの高さ分に相当する上下幅よりも広い上下幅にて周方向全域にわたって連なっていると好適である。
【００１０】
本発明においては、前記取付用部材が、前記複数の取付部を備えるとともに前記支持フレームの枠形状に沿って延びる長尺状に設けられていると好適である。
【００１１】
【００１２】
【００１３】
【００１４】
【００１５】
【００１６】
本発明においては、前記支持フレームが、矩形の枠形状を形成する周枠形成体と、前記周枠形成体の左右両側の横側部にわたって架設される横向き連結体と、前記横向き連結体に沿わせた状態で前記横向き連結体に一体的に連結される横向き補強体と、その横向き補強体の横方向中間部と前記周枠形成体の左右両側の前記横側部とにわたって斜め方向に延設される斜め補強体とを備えていると好適である。
【００１７】
本構成によれば、周枠形成体によってルーフ部の平面視での外周部が形成される。周枠形成体に架設される横向き連結体は、作業機の機体に支持するための部材として用いることができる。これらの周枠形成体と横向き連結体とによって支持フレームの主要部を構成する。そして、横向き補強体と斜め補強体とを備えることによって、主要部を構成する周枠形成体と横向き連結体とを補強することができ、強度の大きい支持フレームを形成することができる。
【００１８】
本発明においては、前記支持フレームが、作業機の機体に支持された支柱に対して横軸心まわりで上下揺動自在に支持され、前記支持フレームの上下揺動位置を設定位置に位置保持可能な係合式の位置決め機構が備えられ、前記支持フレームと前記支柱とにわたって、前記支持フレームを前記横軸心まわりで上方又は下方に移動付勢する付勢機構が備えられていると好適である。
【００１９】
本構成によれば、位置決め機構は、支持フレーム側の部材と支柱側の部材とが係合することによって、支持フレームの上下揺動位置を設定位置に保持する。このように設定位置に保持されているときに、付勢機構によって支持フレームが上方又は下方に移動付勢される。
【００２０】
支持フレーム側の部材と支柱側の部材とが係合している箇所において、付勢機構の付勢力によって、両部材同士が押し付けられた状態で維持されることになり、支持フレームをガタツキのない良好な状態で支持することができる。
【００２１】
本発明に係る作業機の特徴構成は、上記構成の作業機用キャノピーを備える点にある。
【００２２】
本構成によれば、この作業機における運転部の上方を作業機用キャノピーにより覆うことができ、運転部に搭乗している運転者に日差しが差し込んだり雨水が降りかかったりすることを防止できる。
【００２３】
本発明においては、前記作業機用キャノピーが運転部の上方に位置する状態で設けられ、前記運転部の下方側に原動部が備えられ、前記原動部に、エンジンと、エンジン冷却用のラジエータと、前記ラジエータに対する冷却風を生起する冷却ファンと、前記冷却風を機体外部から吸気する防塵カバーとが備えられ、前記防塵カバーの機体外方側端部位置と、前記作業機用キャノピーの機体外方側端部位置とが、一致又は略一致していると好適である。
【００２４】
本構成によれば、原動部に備えられるエンジン、ラジエータ及び冷却ファンは、運転部に備えられるエンジンボンネット等によって上方側が覆われるが、防塵カバーは、外気を吸気するために機体外方に臨む箇所に備えられるものであり、エンジンボンネット等によって覆われることなく外方に露出することになる。
【００２５】
防塵カバーの機体外方側端部位置と、作業機用キャノピーの機体外方側端部位置とが、一致又は略一致しているので、外方に露出している防塵カバーの上方を作業機用キャノピーによって覆うことができる。雨水等が防塵カバーに降りかかるのを抑制することが可能となり、防塵カバーの耐久性の向上を図れる。
【００２６】
本発明においては、前記作業機用キャノピーが運転部の上方に位置する状態で設けられ、前記運転部に、運転座席と、前記運転座席の機体内方側に位置するサイドパネルとが備えられ、前記サイドパネルの機体内方側端部位置と、前記作業機用キャノピーの機体内方側端部位置とが、一致又は略一致していると好適である。
【００２７】
本構成によれば、サイドパネルには、運転操作を行うための各種の操作具が備えられるが、各種の操作具は運転者が操作するために、サイドパネルから外方に露出する状態で備えられる。
【００２８】
サイドパネルの機体内方側端部位置と、作業機用キャノピーの機体内方側端部位置とが、一致又は略一致しているので、各種の操作具が外方に露出しているサイドパネルの上方を作業機用キャノピーによって覆うことができる。雨水等が各種の操作具に降りかかるのを抑制することが可能となり、各種操作具の耐久性の向上を図れる。
【図面の簡単な説明】
【００２９】
【図１】コンバインの全体側面図である。
【図２】コンバインの全体平面図である。
【図３】クローラ走行装置の側面図である。
【図４】クローラ走行装置の縦断背面図である。
【図５】運転部の周辺を示す正面図である。
【図６】キャノピーの分解斜視図である。
【図７】キャノピーの底面図である。
【図８】キャノピーの縦断側面図である。
【図９】位置決め機構の側面図である。
【図１０】位置決め機構の平面図である。
【図１１】位置決め機構の正面図である。
【図１２】キャノピーの一部縦断正面図である。
【図１３】紐状部材の斜視図である。
【発明を実施するための形態】
【００３０】
以下、本発明の実施形態を作業機の一例である普通型コンバインに適用した場合について図面に基づいて説明する。
図１及び図２に示すように、コンバインは、左右一対のクローラ走行装置１を備えた走行機体２に、脱穀装置３と穀粒回収用の穀粒タンク４が左右に並列して配備されるとともに、穀粒タンク４の前方に運転部５が配備されている。脱穀装置３の前部に横軸心まわりに上下揺動自在に刈取穀稈搬送用のフィーダ６が連結され、このフィーダ６の前端に略機体横幅に相当する刈幅を有する刈取り部７が連結されている。穀粒タンク４に貯留される穀粒を機体外部に搬出する穀粒排出装置８が備えられている。
【００３１】
刈取り部７は、植立穀稈を後方に向けて掻き込む回転リール９、バリカン型の刈取装置１０、刈取穀稈を機体横幅方向中間側へ移送する横送りオーガ１１等を備えて、刈取装置１０により刈り取った穀稈を横送りオーガ１１によって横送りしてフィーダ６に供給できるように構成されている。
【００３２】
図１，５に示すように、運転部５の下方側に原動部１２が備えられている。原動部１２には、エンジン１３、エンジン冷却用のラジエータ１４、ラジエータ１４に対する冷却風を生起する冷却ファン１５等が備えられている。原動部１２の上方側はエンジンボンネット１６により覆われており、このエンジンボンネット１６の上側に運転座席１７が支持されている。
【００３３】
原動部１２の機体横幅方向外方側箇所には、冷却ファン１５による通風作用により外気を吸引してラジエータ１４に給気するための防塵カバー１８が機体外方側に臨む状態で備えられている。防塵カバー１８は、機体外方側箇所に吸気用の多孔部１９を備えている。
【００３４】
図１，２に示すように、運転部５には、運転座席１７の機体前部側にフロントパネル２０が備えられ、運転座席１７の機体横幅方向内方側箇所にサイドパネル２１が備えられている。フロントパネル２０には、操向レバー２２等が備えられ、サイドパネル２１には、主変速レバー２３、副変速レバー２４、作業用クラッチレバー２５等が備えられている。
【００３５】
次に、クローラ走行装置１について説明する。
図３に示すように、クローラ走行装置１は、機体前部側に位置する駆動輪２６と、機体後部側に位置する緊張輪２７と、それらの間に位置する複数の接地転輪２８と、上部側に位置する上部転輪２９と、それら各輪体２６〜２９にわたって巻回されたクローラベルト３０とを備えている。
【００３６】
駆動輪２６と上部転輪２９は、機体フレーム３１に回転自在に支持され、複数の接地転輪２８と緊張輪２６は、トラックフレーム３２に回転自在に支持されている。トラックフレーム３２は、平行又は略平行姿勢を維持したまま上下動可能に機体フレーム３１に支持されている。
【００３７】
機体フレーム３１における下部側の前後２箇所に、機体横方向に貫通するとともに、回動自在に支持された回動支点軸３３，３４が設けられている。前後両側の回動支点軸３３，３４の機体内側箇所に、回動支点軸３３，３４と一体回動する操作アーム３５，３６が備えられ、前後の操作アーム３５，３６が連結ロッド３７で枢支連結されている。
【００３８】
前後両側の回動支点軸３３，３４の機体外側箇所に、回動支点軸３３，３４と一体回動する揺動リンク３８，３９が備えられ、揺動リンク３８，３９の揺動端がトラックフレーム３２に枢支連結されている。後部側の揺動リンク３９とトラックフレーム３２とは、拗れ防止用の補助リンク４０を介して枢支連結されている。
【００３９】
後部側の操作アーム３６の揺動端と機体フレーム３１の固定部とにわたり油圧シリンダ４１が枢支連結されている。油圧シリンダ４１を伸縮操作することで、前後両側に位置する、操作アーム３５，３６及び揺動リンク３８，３９の夫々が回動支点軸３３，３４の軸心まわりで一体的に回動して、トラックフレーム３２が水平姿勢を維持したまま機体フレーム３１に対して相対上下動するように構成されている。
【００４０】
図４に示すように、後部側の回動支点軸３４は揺動リンク３９よりも機体外側方に突出しており、その突出部３４ａに上部転輪２９が回動自在に外嵌装着されている。上部転輪２９は、外転輪式に構成され、クローラベルト３０における芯金突起４２の左右両横外側箇所を転動案内する左右一対の転動案内部２９ａ，２９ｂを備えている。
【００４１】
上部転輪２９の左右の転動案内部２９ａ，２９ｂのうち機体外側に位置する外側の転動案内部２９ａの横幅が、機体内側に位置する内側の転動案内部２９ｂの横幅よりも幅広に形成されている。具体的には、外側の転動案内部２９ａの横幅Ｌ１は、左右両側の芯金突起４２同士の間隔Ｌ２よりも大に設定されている。
【００４２】
このように構成することで、湿田を走行するときに、上部転輪２９が損傷することを回避し易いものとなる。説明を加えると、湿田を走行するときには、泥土が機体フレーム３１とクローラベルト３０との間に入り込み、クローラベルト３０が横外側方に押し出されて、芯金突起４２が上部転輪２９の左右一対の転動案内部２９ａ，２９ｂの間から外れて、外側の転動案内部２９ａの外周部に乗り上げることがある。そうすると、左右の芯金突起４２の間に外側の転動案内部２９ａが入り込むことがあり、この状態では、泥土が無くなっても、図４に示すように、左右の芯金突起４２が左右一対の転動案内部２９ａ，２９ｂの間に位置する元の状態に戻ることができず、外側の転動案内部２９ａが短期間で大きく損傷することがある。
【００４３】
しかし、上記したように、外側の転動案内部２９ａの横幅Ｌ１は、左右両側の芯金突起４２同士の間隔Ｌ２よりも大に設定されているから、左右の芯金突起４２の間に外側の転動案内部２９ａが入り込むことがなく、泥土が無くなると、クローラベルト３０は上部転輪２９により適正に転動案内される元の状態（図４に示す状態）に戻ることになる。
【００４４】
図１，２に示すように、運転部５の上方を覆うキャノピー４３が備えられている。このキャノピー４３は、機体に支持される支持フレーム４４と、その支持フレーム４４に張設されてルーフ部４５を形成するとともに可撓性を有する柔軟性シート４６とを備えて構成されている。
【００４５】
図１に示すように、支持フレーム４４は、コンバインの走行機体２に支持される支柱４７の上端部から片持ち状に機体前方に向けて延設されている。柔軟性シート４６が支持フレーム４４に張設される状態で備えられている。支柱４７は、角筒状に形成されており、穀粒タンク４の前壁部４Ａに固定状態で取り付けられている角筒状の支持部材４８に上方側から差し込み挿入して支持されている。
【００４６】
図１，５に示すように、支持部材４８は、下端部が断面略Ｌ字形の受部材４９を介して穀粒タンク４の前壁部４Ａに連結され、上下方向の途中部が断面略Ｕ字形のブラケット５０を介して、穀粒タンク４の前壁部４Ａに固定の支持台５１に連結されている。
【００４７】
支柱４７は、支持部材４８に対して上方側から差し込み挿入され、抜け止めピン５２により上下位置が固定されて抜け外れが阻止されるように構成されている。図示はしていないが、支柱４７側の抜け止めピン５２が挿通する挿通孔は、上下方向に間隔をあけて複数個形成されており、抜け止めピン５２を抜き外して挿通箇所を変更することで、支柱４７すなわちキャノピー４３全体の上下位置を複数段階に変更することができる。
【００４８】
図６に示すように、支持フレーム４４は、丸パイプ材を平面視で矩形枠状に折り曲げて形成された周枠形成体としてのルーフフレーム５３と、ルーフフレーム５３の左右両側の横側部にわたって架設される横向き連結体としての横向きフレーム５４とを備えている。
横向きフレーム５４は、丸パイプ材からなり、ルーフフレーム５３における左右両側の前後方向に延びる横側部としての前後延設部５３ａにわたって連結されている。
【００４９】
横向きフレーム５４の機体前部側には、横幅方向全長にわたって水平板状の横向き補強体５５が一体的に連設されている。さらに、横向き補強体５５の横方向中間部の前部側と、ルーフフレーム５３における左右両側の前後延設部５３ａの途中部とにわたって、斜め方向に延びる斜め補強体５６が連結されている。
【００５０】
ルーフフレーム５３の前後中間部において、左右両側の前後延設部５３ａ同士にわたって中央部側が上方に位置するように折れ曲がる状態で柔軟性シート４６を支持する前後一対のシート受け部材５７が架設連結されている。前後一対のシート受け部材５７は前後方向に適宜間隔をあけて並ぶ状態で設けられ、ルーフフレーム５３を構成する丸パイプ材よりも小径の丸パイプ材を途中部が上方に向けて湾曲するように形成されている。
【００５１】
支持フレーム４４は、支柱４７に対して、横向き軸心Ｐ１まわりで揺動可能に且つ複数（４段階）の上下揺動位置のいずれかに姿勢変更調節可能に支持されている。そして、支持フレーム４４の上下揺動位置を設定位置に位置保持可能な係合式の位置決め機構Ｋが備えられている。
【００５２】
図１に示すように、支柱４７は、上部側が機体前方側に向けて湾曲形成されている。図８〜１１に示すように、支柱４７の先端部に、横向き方向に延びる角パイプ状の横延設部５８が連結されている。この横延設部５８の左右両側部には、縦向き姿勢で前後方向に沿って延びる支持板５９が連結されている。左右の支持板５９にわたって支持軸６０が架設されている。
【００５３】
支持軸６０に略全長にわたる筒部材６１が相対回動可能に外嵌され、筒部材６１と支持フレーム４４とが左右一対のブラケット６２を介して連結されている。左右のブラケット６２は、縦向き姿勢の板体からなり、横向きフレーム５４、横向き補強体５５、斜め補強体５６夫々の下面側に連結され、支持フレーム４４と一体的に連結されている。
【００５４】
支持軸６０は、左右両側の支持板５９及び横延設部５８を介して支柱４７に支持され、筒部材６１は支持軸６０に回動自在に外嵌されている。そして、筒部材６１と支持フレーム４４とが連結されているから、支持フレーム４４は、支柱４７の上部において、支持軸６０の軸心Ｐ１まわりに回動可能に支持されることになる。
【００５５】
図９に示すように、左右の支持板５９に形成された挿通孔６３には、４つの係合溝６４が横軸心Ｐ１まわりの所定の角度毎に形成されており、これにより、ルーフ部４５の傾斜角度を４段階に変更調節できるように構成されている。挿通孔６３における係合溝６４の反対側箇所には、横軸心Ｐ１を中心とした円周上に位置する案内溝６５が形成されている。
【００５６】
左右一対のブラケット６２における前部上部側箇所同士にわたって支軸６６が回動自在に架設支持されており、この支軸６６における左右のブラケット６２よりも横幅方向内方側において、左右一対のアーム部材６７Ｒ，６７Ｌが支持されている。一対のアーム部材６７Ｒ，６７Ｌの遊端側箇所同士にわたって丸棒材からなる係止ロッド６８が架設されており、この係止ロッド６８は、左右の支持板５９に形成されている挿通孔６３を夫々挿通する状態で設けられている。
【００５７】
一方（左側）のアーム部材６７Ｌは、他方（右側）のアーム部材６７Ｒよりも下方に長く側面視で略Ｌ字状に延出されており、この一方のアーム部材６７Ｌの延出端部に樹脂製のカバーにて覆われた握り部６９が形成されている。
【００５８】
図９，１０に示すように、他方（右側）のアーム部材６７Ｒに備えられたバネ受け具７０と、筒部材６１に備えられたバネ受け具７１とにわたってバネ７２が張設され、このバネ７２の付勢力により、一対のアーム部材６７Ｒ，６７Ｌが支軸６６の軸心Ｐ２まわりで回動付勢される。バネ７２の付勢力によって係止ロッド６８が複数の係合溝６４のいずれかに入り込み側に付勢される。つまり、バネ７２の付勢力により係止ロッド６８が位置保持され、ルーフ部４５が位置保持される。
【００５９】
ルーフ部４５の姿勢を変更するときは、握り部６９をバネ７２の付勢力に抗して操作して、係止ロッド６８の係合溝６４への係止を解除してルーフ部４５の姿勢を変更させたのちに、握り部６９の操作を停止して係止ロッド６８を別の係合溝６４に係止すると、その位置で保持されることになる。作業者は、右手で握り部６９を操作しながら、左手で左側の前後延設部５３ａに備えられた補助操作具７７を操作して姿勢を変更することができる。従って、４つの係合溝６４のいずれかに選択的に係止ロッド６８を係止させることで、ルーフ部４５は、４段階の揺動姿勢のうちのいずれかに変更設定することができる。
【００６０】
そして、支持フレーム４４と支柱４７とにわたって、支持フレーム４４を横軸心Ｐ１まわりで上方に移動付勢する付勢機構としてのコイルスプリング７３が備えられている。図１０に示すように、横延設部５８の後側面における左右のブラケット６２に対応する箇所に、平面視略Ｕ字形のバネ受け具７４が一体的に連結されている。左右両側のバネ受け具７４における後上部側箇所に調節ネジ７５が備えられ、この調節ネジ７５の一端部と左右のブラケット６２の回動軸芯よりも上方側箇所とにわたってコイルスプリング７３が張設されている。
【００６１】
コイルスプリング７３は、引っ張り力が作用する状態で張設されており、このコイルスプリング７３の引っ張り力により、支持フレーム４４が横軸心Ｐ１まわりで上方に回動付勢されている。このように構成することで、係止ロッド６８と係合溝６４との間での係合箇所において、機体振動等に起因したガタツキが発生することを防止できる。
【００６２】
調節ネジ７５は、バネ受け具７４における後上部箇所を挿通するとともに、前後両側からナット７６で締め付けてバネ受け具７４に位置固定可能であり、且つ、ナット７６を緩めて前後方向に位置変更調節することで、コイルスプリング７３の張力を変更調節可能である。このような構成により、係合式の位置決め機構Ｋが構成されている。
【００６３】
次に、ルーフ部４５を形成する柔軟性シート４６について説明する。
図６に示すように、柔軟性シート４６は、ルーフ部４５の天井面を形成する上面部４６Ａと、その上面部４６Ａの外周部に連なる縦向きの側面部４６Ｂとを備えて構成されている。上面部４６Ａは、ルーフフレーム５３により支持されて、平面視で矩形状に設けられている。上面部４６Ａの全周にわたって、上面部４６Ａから一連に連なって下方に垂れ下がる状態で側面部４６Ｂが形成されている。
【００６４】
柔軟性シート４６は、ポリエステル繊維の織物を両側から軟質な合成樹脂フィルムで挟み込んで作成されるターポリンという素材からなるシート状部材にて構成されている。このターポリンは、防水性を有し且つ強度も高いので、テントや運搬車の荷台を覆う幌等として使用される周知の素材である。
【００６５】
柔軟性シート４６の内面側に支持フレーム４４に対する取付部７８が備えられている。
取付部７８は、平面視で枠形状の支持フレーム４４の枠内側に位置する状態で、且つ、支持フレーム４４の枠形状に沿って複数備えられている。
【００６６】
すなわち、図７に示すように、支持フレーム４４の枠形状に沿って延びる長尺のシート状の取付用部材７９が備えられている。この取付用部材７９は、柔軟性シート４６の上面部４６Ａにおける周縁部よりも少し内側に寄った箇所に取り付けられている。この取付用部材７９は、柔軟性シート４６と同様にターポリンという素材からなるシート状部材にて構成され、柔軟性シート４６との間で溶着することにより、固定状態で取り付けられている。
【００６７】
図１２に示すように、取付用部材７９は、長尺方向に沿って延びる合成樹脂製の紐状体８０を挟み込んだ状態で重ね合わせるようにシート状体を折り曲げ、重ね合わせた状態で、紐状体８０の近傍位置を長尺方向に縫い合わせて、枠形状の内外方向に沿って幅狭で且つ枠形状に沿って長尺状に形成されている。このように紐状体８０を内装することで強度を補強している。
【００６８】
取付用部材７９は、枠形状の内側箇所における所定幅の領域を長手方向の全域にわたって、高周波ウエルダー（図示せず）により溶着することにより柔軟性シート４６に取り付けられている。高周波ウエルダーは、誘導加熱を利用して、取付用部材７９の重ね合わせた２枚のシート部分と柔軟性シート４６とを合計３枚重ね合わせた状態で溶融接着する。
【００６９】
取付用部材７９には、長尺方向に沿って適宜間隔をあけて複数の取付部７８が備えられ、取付部７８には挿通孔８１が備えられている。図１２に示すように、挿通孔８１は、シート状体の両面側のリング状の金具をカシメ固定して、中央に開口を形成するハトメ部材８２にて構成されている。
【００７０】
そして、挿通孔８１と支持フレーム４４とを紐状部材８３で連結することにより、柔軟性シート４６を支持フレーム４４に取り付ける構成となっている。図１３に示すように、紐状部材８３は、電気コード等を束ねるときに利用される周知構造のコードバンドにて構成されている。コードバンドは、一端部に鋸歯状の係止部８４が形成され、他端部に係止部８４が挿通すると差し込み方向にのみ通過可能で逆方向へは移動を阻止して抜け止めする抜け止め部８５を備えている。
【００７１】
図１２に示すように、紐状部材８３は、取付用部材７９に備えられた挿通孔８１を通過させるとともに、ルーフフレーム５３の外周を囲うように巻回して、係止部８４を抜け止め部８５に差し込んで抜け止めすることで、取付用部材７９をルーフフレーム５３に取り付けることができる。
【００７２】
複数の取付部７８の夫々において、紐状部材８３にて取付用部材７９をルーフフレーム５３に取り付けることにより、柔軟性シート４６を略全周にわたり枠形状の外方に向けて引っ張る状態で取り付けることができ、柔軟性シート４６をルーフフレーム５３すなわち、支持フレーム４４に対して、弛みの少ない状態で張設することができる。
【００７３】
図５に示すように、キャノピー４３の機体外方側端部位置Ｑ１は、防塵カバー１８の機体外方側端部位置と略一致している。キャノピー４３の機体内方側端部位置Ｑ２は、サイドパネル２１の機体内方側端部位置と略一致している。このようにキャノピー４３は、防塵カバー１８やサイドパネル２１の上方を覆う状態となっているので、これらに雨水等が降りかかることを抑制することができる。
【００７４】
【００７５】
【００７６】
【００７７】
〔別実施形態〕
（１）上記実施形態では、支持フレーム４４における周枠形成体として、丸パイプ材を平面視で矩形枠状（四角形状）に折り曲げたルーフフレーム５３を用いたが、この構成に代えて、例えば、丸パイプ材を用いて平面視で略Ｕ字状に形成したもの、平面視で略Ｈ字状に形成したもの等、種々の形状で実施することができ、しかも、角筒材や中実状の棒体を用いてもよく、種々の形態で実施することができる。
【００７８】
（２）上記実施形態では、付勢機構としてのコイルスプリング７３が支持フレーム４４を横軸心Ｐ１まわりで上方に移動付勢するようにしたが、支持フレーム４４を横軸心Ｐ１まわりで下方に移動付勢する構成としてもよい。又、コイルスプリングに限らず、つるまきバネや錘による引き付勢力を用いる構成等、付勢機構の構成は種々変更可能である。
【００７９】
（３）上記実施形態では、防塵カバー１８の機体外方側端部位置と、作業機用キャノピー４３の機体外方側端部位置とが略一致している構成としたが、それらが完全に一致する構成としてもよく、あるいは、それらが一致していない構成としてもよい。例えば、作業機用キャノピー４３の機体外方側端部位置が防塵カバー１８の機体外方側端部位置よりも大きく外方に寄った状態で位置したり、大きく内方側に寄った状態で位置するものでもよい。
【００８０】
（４）上記実施形態では、サイドパネル２１の機体内方側端部位置と、作業機用キャノピー４３の機体内方側端部位置とが、略一致している構成としたが、それらが完全に一致する構成としてもよく、あるいは、それらが一致していない構成としてもよい。例えば、作業機用キャノピー４３の機体内方側端部位置がサイドパネル２１の機体内方側端部位置よりも大きく内方に寄った状態で位置したり、大きく外方側に寄った状態で位置するものでもよい。
【００８１】
（５）上記実施形態では、作業機としてコンバインを示したが、コンバインに限らず、トラクタや他の作業機であってもよい。
【産業上の利用可能性】
【００８２】
本発明は、作業機における運転部の上方を覆う作業機用キャノピーに適用できる。
【符号の説明】
【００８３】
５            運転部
１２          原動部
１３          エンジン
１４          ラジエータ
１５          冷却ファン
１７          運転座席
１８          防塵カバー
２１          サイドパネル
４３          キャノピー
４４          支持フレーム
４５          ルーフ部
４６          柔軟性シート
４６Ａ        上面部
４６Ｂ        側面部
４７          支柱
５３          周枠形成体
５３ａ        横側部
５４          横向き連結体
５５          横向き補強体
５６          斜め補強体
７３          付勢機構
７８          取付部
８１          挿通孔
８３          紐状部材
Ｋ            位置決め機構
Ｑ１          機体外方側端部位置
Ｑ２          機体内方側端部位置
【図１】
0006611464.tif 000002
【図２】
0006611464.tif 000003
【図３】
0006611464.tif 000004
【図４】
0006611464.tif 000005
【図５】
0006611464.tif 000006
【図６】
0006611464.tif 000007
【図７】
0006611464.tif 000008
【図８】
0006611464.tif 000009
【図９】
0006611464.tif 000010
【図１０】
0006611464.tif 000011
【図１１】
0006611464.tif 000012
【図１２】
0006611464.tif 000013
【図１３】
0006611464.tif 000014